(57)【特許請求の範囲】
【請求項１】
プール中に昇降可動に設けられる可変床と、同可変床の下面において同可変床の下部をなす可変床フレームの枠内に設けられた浮力タンクとを備え、同浮力タンクの浮揚力を変化させることにより前記可変床を昇降し、同可変床を係止することにより、前記プールの水面から前記可変床の上面までの水深を任意に設定可能に構成された水深調整プール設備において、前記可変床と結合され同可変床の昇降と連動するチェーン機構と、同チェーン機構と連動するエンコーダと、同エンコーダによって作動する前記チェーン機構のブレーキ機構とを有してなることを特徴とする水深調整プール設備。
【請求項２】
プール中に昇降可動に設けられる可変床と、同可変床の下面において同可変床の下部をなす可変床フレームの枠内に設けられた浮力タンクとを備え、同浮力タンクの浮揚力を変化させることにより前記可変床を昇降し、同可変床を係止することにより、前記プールの水面から前記可変床の上面までの水深を任意に設定可能に構成された水深調整プール設備において、前記プールの側壁部の複数箇所に鉛直に設けられたラックと、前記可変床に取り付けられ前記ラックのそれぞれに係合する複数のピニオンと、同複数のピニオンの同期機構および前記同期機構の同期軸に設けられているブレーキ機構とを有してなることを特徴とする水深調整プール設備。
【請求項３】
請求項１または請求項２に記載の水深調整プール設備において、前記浮力タンクは、膨張、収縮が可能で、圧縮空気を送入、排出されることにより同浮力タンクの容積を増減し、同浮力タンクの浮揚力を変化するものであることを特徴とする水深調整プール設備。
【発明の詳細な説明】
【０００１】
【発明の属する技術分野】
本発明は、競泳または水遊び用等のスイミングプール（本明細書において単に、「プール」という）において、プールの水深の変更を可能とするためにプール中に昇降可動に設けられる床（本明細書中において、「可変床」と言う）を有する水深調整プール設備に関するものである。
【０００２】
【従来の技術】
プールにおける水泳は、競泳、健康保持、または体力増進、あるいは一般の人々の水遊び等のレジャー利用など、利用目的も多様化している。したがって、利用者の身長や技量によって多様化した目的に水深を合わせることが好ましく、例えば、競泳選手等が使用する場合には相応の水深となるよう深くし、また、低年齢の子供が使用する場合や、単なる一般の人々のレジャー用水遊びに使用する場合には、その用途に合わせた水深とすることが望まれる。
【０００３】
しかしながら、水深の異なるいくつものプールを設けることは、設備費のコストアップや用地の調達など多くの問題があるため、一つのプールを利用目的に応じて水深を調節することにより、多様化した目的を達成しようとする種々の方式の水深調整プール設備が提案されている。
【０００４】
従来、プールの水深を調節する方式としては、プールを予め深い水深用に形成しておき、水深を浅くする必要がある場合には、プールの全体または一部に水深調節用のブロックやレスト材を人力によって沈める方式がある。
【０００５】
また、図３に示すように、プール０１中の可変床０２の可変床フレーム０２ａをプール底面０１ａ側から水圧シリンダ０３により押し上げ、可変床０２が昇降されるものや、図４に示すように可変床０４の下側の可変床フレーム０４ａに浮力タンク０５が備えられ、可変床０４が浮力タンク０５の浮力によりプール０１内で浮揚しようとするところを、プール底面０１ａ側に設けられたシーブ０６を介して可変床フレーム０４ａ下面に取り付けられたワイヤー０７により引き下げて、プール水面（Ｗ．Ｌ．）から可変床０２の上面までの水深が所定の水深となる位置で止めておくもの等、昇降装置によって可変床を上下動させて所定の水深を得る方式が提案されていた。
【０００６】
しかしながら、ブロック等を用いた水深調節方式では、多数のブロック等をプールに沈めたりプールから引上げたりする必要があるため、迅速な水深調節ができないばかりか、多くの人力を必要とするという運用コストの問題があった。さらには、水深を深くする際には、プールから取出した多数のブロック等をプール外に保管しておくスペースが必要になるという問題があった。
【０００７】
また、図３に示す水圧シリンダ０３で昇降する可変床０２を用いる水深調整プール設備においては、可変床０２の下に水圧シリンダ０３等の昇降用の機器等を設置する必要があるためその分がデットスペースとなる。
【０００８】
浮力タンク０５を有する可変床０４を用いる水深調整プール設備においては、浮力タンク０５は可変床０４を常時浮揚させるに足る十分な容積が必要となり、また、通常、浮力タンク０５は可変床０４の可変床フレーム０４ａの下面に備えられるので、可変床フレーム０４ａ＋浮力タンク０５分のデットスペースをプール０１の底面０１ａ上に必要とし、さらに底部０１ａ上にワイヤー０７、シーブ０６等のスペースも要すため、プール深さを余分に必要とする等、コスト高となる場合が多かった。
【０００９】
すなわち、従来の水圧シリンダ０３を用いたり、浮力タンク０５とワイヤー０７、シーブ０６を用いた昇降自体を機械的に行う昇降装置は、設備コストの問題が避けられなかった。
【００１０】
さらに、レジャー施設等においては、スペースの有効活用を図るため、プールの非使用時にはそのスペースを平坦にして、テニスやバレーボール等の各種スポーツや、各種イベントに活用したいとの要望がある。しかし、上述のようにブロックを沈めることによってのみ水深調節が可能なプールにおいては、プールを平坦状にすることに大変な労力を要するため現実的でなく、他のスポーツやイベントに活用することは困難であった。
【００１１】
【発明が解決しようとする課題】
本発明は、上述のような従来の水深調整プール設備の問題を解決するためになされたものであり、可変床下のデットスペースを最小限に抑えることができ、更にプールの水深調節が、迅速に且つ簡便、容易に行うことができる水深調整プール設備を提供することを課題とするものである。
【００１２】
【課題を解決するための手段】
本発明は上記の課題を解決するためになされたもので、次の通りのものである。
（１）プール中に昇降可動に設けられる可変床と、同可変床の下面において同可変床の下部をなす可変床フレームの枠内に設けられた浮力タンクとを備え、同浮力タンクの浮揚力を変化させることにより前記可変床を昇降し、同可変床を係止することにより、前記プールの水面から前記可変床の上面までの水深を任意に設定可能に構成された水深調整プール設備において、前記可変床と結合され同可変床の昇降と連動するチェーン機構と、同チェーン機構と連動するエンコーダと、同エンコーダによって作動する前記チェーン機構のブレーキ機構とを有してなることを特徴とする水深調整プール設備。
（２）プール中に昇降可動に設けられる可変床と、同可変床の下面において同可変床の下部をなす可変床フレームの枠内に設けられた浮力タンクとを備え、同浮力タンクの浮揚力を変化させることにより前記可変床を昇降し、同可変床を係止することにより、前記プールの水面から前記可変床の上面までの水深を任意に設定可能に構成された水深調整プール設備において、前記プールの側壁部の複数箇所に鉛直に設けられたラックと、前記可変床に取り付けられ前記ラックのそれぞれに係合する複数のピニオンと、同複数のピニオンの同期機構および前記同期機構の同期軸に設けられているブレーキ機構とを有してなることを特徴とする水深調整プール設備。
【００１３】
第１の手段によれば、可変床の昇降自体は、可変床フレームの枠内の浮力タンクの浮揚力の変化で行なうとともに、その位置で可変床を係止するので、可変床の昇降が従来のものに比べはるかに簡便なものでなされ、また、可変床下のデットスペースを最小限に低減することができる。
また、チェーン機構と、エンコーダの働きによりプール水面から可変床の上面までの水深が所定の位置に達したことを確認でき、チェーン機構の動きをブレーキ機構により停止させ、可変床を所定の水深に保持できる。
第２の手段によれば、可変床の昇降自体は、可変床フレームの枠内の浮力タンクの浮揚力の変化で行なうとともに、その位置で可変床を係止するので、可変床の昇降が従来のものに比べはるかに簡便なものでなされ、また、可変床下のデットスペースを最小限に低減することができる。
また、ラックに係合する複数のピニオンが同期機構およびブレーキ機構を有しているため、可変床を水平に保持することができ、可変床が所定の水深に達したとき、ピニオンの回転をブレーキ機構により停止させ、所定の水深を保持できる。
【００１４】
（３）前記（１）または（２）に記載の水深調整プール設備において、前記浮力タンクは、膨張、収縮が可能で、圧縮空気を送入、排出されることにより同浮力タンクの容積を増減し、同浮力タンクの浮揚力を変化するものであることを特徴とする水深調整プール設備。
【００１５】
第３の手段によれば、前記第１または第２の手段の作用に加え、昇降可動な可変床の下面に、膨張、収縮が可能な浮力タンクを装着し浮力タンクに圧縮空気を挿入、排出して浮力タンクの容積の増減により、浮力タンクの浮揚力を変化させ、可変床を昇降させるので、従来の可変床の昇降装置のようにプール底部に水圧シリンダを備え、あるいは、可変床フレーム下面に浮力タンクを備え浮揚させ且つワイヤーで引き下げる機構を設けるというような、特段のスペースを要する機械的昇降装置が不要となり、容易に可変床の昇降ができる。 
【００１６】
【発明の実施の形態】
図１に基づき本発明の実施の第１形態にかかる水深調節プール設備を説明する。図１は、本実施の形態の水深調節プール設備の概要説明図であり、（ａ）は平面図、（ｂ）は（ａ）中Ａ−Ａ矢視断面図である。
【００１７】
図１において、プール１内には可変床２が水平に設けられており、可変床２の下面側は可変床フレーム２ａとなっている。可変床フレーム２ａの枠内はプール１の水中に浸っており、その可変床フレーム２ａの枠内に、膨張、収縮が可能な風船型の弾力性を有する複数の浮力タンク５が装着されている。
【００１８】
それぞれの浮力タンク５にはエアーホース８を介し、エアー供給装置９によりエアー（圧縮空気）が送入、排出され、浮力タンク５の容積を変化させることによって、プール中で発生する浮力が調整され、浮力に従って可変床２を昇降するように構成されている。
【００１９】
浮力タンク５の浮力は、可変床フレーム２ａ等を含む可変床２の水中での重量と概ね釣り合う状態を基本とすればよく、それより浮力を少し増大させれば可変床２は上昇し、少し減少させれば下降する。
【００２０】
したがって、図４で説明した従来例の浮力タンク０５のように常時可変床０２を浮揚させるに足る浮力を発生させるものと異なり、浮力タンク５はコンパクトなものでよく、可変床フレーム２ａの枠内に収まる厚さに小型化し、可変床２下のデッドスペースを低減できるものとなる。
【００２１】
また、プール１外に備えたチェーン機構１０のチェーン１０ａと可変床２とは固定金具１１により結合されており、チェーン機構１０のスプロケット１０ｂの回転軸１２によってエンコーダ１３が連動し、エンコーダ１３の働きによりプール水面（Ｗ．Ｌ．）から可変床２の上面までの水深Ｄが、所定の水深に達したことを確認し、回転軸１２の回転を回転軸１２に取り付けられたブレーキ機構１４により停止して可変床２を係止し、水深Ｄを保持するように構成されている。
【００２２】
なお、図１に示すものは、チェーン機構１０と、エアー供給装置９がプール１の側部の機械室に備えられているが、その場合、固定金具１１は適宜のシール機構を介してチェーン機構１０と接続するものとし、またあるいは、チェーン機構１０の一部、エンコーダ１３、ブレーキ機構１４、エアー供給装置９は、プール水面（Ｗ．Ｌ．）より上方に位置させて備えてもよい。
【００２３】
図２に基づき本発明の実施の第２形態にかかる水深調節プール設備を説明する。図２は、本実施の形態の水深調節プール設備の概要説明図であり、（ａ）は平面図、（ｂ）は（ａ）中Ｂ−Ｂ矢視断面図である。
【００２４】
図２に示すように、プール１内には可変床２が水平に設けられており、可変床２の下面側は可変床フレーム２ａとなっている。可変床フレーム２ａの枠内はプール１の水中に浸っており、その可変床フレーム２ａの枠内に、膨張、収縮が可能な風船型の弾力性を有する複数の浮力タンク５が装着されている。
【００２５】
本実施の形態においても、可変床２の下面に装着した複数の浮力タンク５の容積を変化させることにより可変床２を昇降するように構成されていることについては前述の実施の第１形態と同じであり、その点に関しては説明を省略する。
【００２６】
本実施の形態においては、プール１の両側壁部１ｂの４隅近傍に、鉛直方向にラック２０が埋設され、相対するピニオン２１は可変床２の可変床フレーム２ａに取り付けられている。
【００２７】
相隣り合うピニオン２１は、互いに同期軸２２、２３を介して連結され、同期して連動するようになっている。連結方法は適宜でよいが、例えば図２中、回転軸を平行に配して並ぶピニオン２１同志を連結する同期軸２２はギヤを介してピニオン２１と回転軸方向を転換して連結し、回転軸位置を同じくするピニオン２１同志を連結する同期軸２３はピニオン２１と同軸に連結する。勿論、自在継手、ギヤ等を介して軸方向の自由度を加えて連結してもよい。
【００２８】
ピニオン２１は、同期軸２２、２３を介し連結されている為、回転が互いに同期し、可変床２が昇降する際、常に同期をとりながら可変床２を水平に保持する。
【００２９】
また、可変床フレーム２ａ下面には、エアを利用したブレーキ機構２４が備えられ、ブレーキ機構２４にはプール１外に備えられたブレーキエアー供給装置２５によりエアーホース２６を介し、エアー（圧縮空気）が送入、排出され、同期軸２２を固定、解除することができ、可変床２を任意の位置に固定する。
【００３０】
したがって、浮力タンク５の容積を変化させることにより可変床２を昇降し、プール水面（Ｗ．Ｌ．）から可変床２の上面までの水深Ｄが、所定の水深に達したことを確認し、ブレーキ機構２４により可変床２を水深Ｄを保持するように係止することができる。
【００３１】
さらに本実施の形態においても、ピニオン２１、またはピニオン２１と連動する同期軸２２、２３の回転等を取り出しエンコーダを設けて、エンコーダの信号により所定の水深に達した時、ブレーキ機構２４を働かせることができる。
【００３２】
したがって、本実施の形態においても、浮力タンク５はコンパクトなものでよく、可変床フレーム２ａの枠内に収まる厚さに小型化し、可変床２下のデッドスペースを低減できるものとなる。
【００３３】
以上本発明の何れの水深調整プール設備の実施の形態においても、膨張、収縮が可能な風船型の弾力性を有する複数の浮力タンクを可変床に装着してエアーを送入、排出することにより可変床を昇降させることができ、可変床の昇降自体は、可変床フレームの枠内の浮力タンクの浮揚力の変化で行なうとともに、その位置で可変床を係止するので、可変床の昇降が従来の機械的な昇降装置に比べ、はるかに簡便なものとなる。しかも浮力タンクをコンパクトなものとし、可変床下のデッドスペースを低減できるものとなる。
【００３４】
また、浮力タンクの浮揚力の変化でプール水面から可変床の上面までの水深を任意に設定でき、その位置で固定された堅固な可変床を構成できるので、利用者の身長や技量によって、また多様化した目的によって、プールの水深を容易に合わせることができるものとなる。
【００３５】
したがって、多様化したプールの利用目的に貢献でき、用地問題も解消される。また、水深調節用のブロック等を人手で出し入れする方式や、従来の可変床の昇降装置に比べ、運用コスト、設備コスト等が低減される。
【００３６】
【発明の効果】
（１）本発明の請求項１の発明によれば、水深調整プール設備を、プール中に昇降可動に設けられる可変床と、同可変床の下面において同可変床の下部をなす可変床フレームの枠内に設けられた浮力タンクとを備え、同浮力タンクの浮揚力を変化させることにより前記可変床を昇降し、同可変床を係止することにより、前記プールの水面から前記可変床の上面までの水深を任意に設定可能に構成された水深調整プール設備において、前記可変床と結合され同可変床の昇降と連動するチェーン機構と、同チェーン機構と連動するエンコーダと、同エンコーダによって作動する前記チェーン機構のブレーキ機構とを有したので、可変床の昇降自体は、可変床フレームの枠内の浮力タンクの浮揚力の変化で行なうとともに、その位置で可変床を係止するので、可変床の昇降が従来のものに比べはるかに簡便なものでなされることとなり、可変床下のデットスペースを最小限に低減することができるものとなる。
【００３７】
また、プールの水深調節が、迅速に且つ容易となり、利用者の身長や技量によって、多様化した目的により水深を容易に合わせることが可能であり、多様化したプールの利用目的に貢献できる。
また、前記可変床と結合され同可変床の昇降と連動するチェーン機構と、同チェーン機構と連動するエンコーダと、同エンコーダによって作動する前記チェーン機構のブレーキ機構とを有してなるように構成したので、チェーン機構と、エンコーダの働きによりプール水面から可変床の上面までの水深が所定の位置に達したことを確認でき、チェーン機構の動きをブレーキ機構により停止させ、可変床を所定の水深に保持することができるものである。
（２）請求項２の発明によれば、プール中に昇降可動に設けられる可変床と、同可変床の下面において同可変床の下部をなす可変床フレームの枠内に設けられた浮力タンクとを備え、同浮力タンクの浮揚力を変化させることにより前記可変床を昇降し、同可変床を係止することにより、前記プールの水面から前記可変床の上面までの水深を任意に設定可能に構成された水深調整プール設備において、前記プールの側壁部の複数箇所に鉛直に設けられたラックと、前記可変床に取り付けられ前記ラックのそれぞれに係合する複数のピニオンと、同複数のピニオンの同期機構および前記同期機構の同期軸に設けられているブレーキ機構とを有してなるように構成したので、次の作用効果を奏する。
可変床の昇降自体は、可変床フレームの枠内の浮力タンクの浮揚力の変化で行なうとともに、その位置で可変床を係止するので、可変床の昇降が従来のものに比べはるかに簡便なものでなされることとなり、可変床下のデットスペースを最小限に低減することができるものとなる。
また、プールの水深調節が、迅速に且つ容易となり、利用者の身長や技量によって、多様化した目的により水深を容易に合わせることが可能であり、多様化したプールの利用目的に貢献できる。
また、ラックに係合する複数のピニオンが同期機構およびブレーキ機構を有しているため、可変床を水平に保持することができ、可変床が所定の水深に達したとき、ピニオンの回転をブレーキ機構により停止させ、所定の水深を保持することができる。
【００３８】
（３）請求項３の発明によれば、請求項１または請求項２に記載の水深調整プール設備において、前記浮力タンクは、膨張、収縮が可能で、圧縮空気を送入、排出されることにより同浮力タンクの容積を増減し、同浮力タンクの浮揚力を変化するものであるように構成したので、請求項１または請求項２の発明の効果に加え、昇降可動な可変床の下面に、膨張、収縮が可能な浮力タンクを装着し浮力タンクに圧縮空気を挿入、排出して浮力タンクの容積の増減により、浮力タンクの浮揚力を変化させ、可変床を昇降させるため、従来の可変床の昇降装置のようにプール底部に水圧シリンダを備え、あるいは、可変床フレーム下面に浮力タンクを備え浮揚させ且つワイヤーで引き下げる機構を設けるというような、特段のスペースを要する機械的昇降装置が不要となり、容易に可変床の昇降が可能となる。
【００３９】
また、従来の、プールの全体または一部に水深調節用のブロックやレスト材を人力によって沈める方式や、水深調節用の昇降装置によって機械的に可変床を昇降させる方式などと比べ、運用コスト、設備コストの低減や用地の調達など多くの問題が解消される。 
【図面の簡単な説明】
【図１】  本発明の実施の第１形態にかかる水深調節プール設備の概要説明図であり、（ａ）は平面図、（ｂ）は（ａ）中Ａ−Ａ矢視断面図である。
【図２】  本発明の実施の第２形態にかかる水深調節プール設備の概要説明図であり、（ａ）は平面図、（ｂ）は（ａ）中Ｂ−Ｂ矢視断面図である。
【図３】  従来の可変床の昇降装置の例の説明図である。
【図４】  従来の可変床の昇降装置の他の例の説明図である。
【符号の説明】
１           プール
２           可変床
２ａ         可変床フレーム
５           浮力タンク
８           エアーホース
９           エアー供給装置
１０         チェーン機構
１０ａ       チェーン
１０ｂ       スプロケット
１１         固定金具
１２         回転軸
１３         エンコーダ
１４         ブレーキ機構
２０         ラック
２１         ピニオン
２２、２３   同期軸
２４         ブレーキ機構
２５         ブレーキエアー供給装置
２６         エアーホース
【図１】
0003917802.tif 000002
【図２】
0003917802.tif 000003
【図３】
0003917802.tif 000004
【図４】
0003917802.tif 000005